【手続補正書】
【提出日】平成19年3月26日(2007.3.26)
【手続補正１】
【補正対象書類名】特許請求の範囲
【補正対象項目名】全文
【補正方法】変更
【補正の内容】
【特許請求の範囲】
【請求項１】
（ａ）
（ｉ）  第１のポリマーの分子に結合された少なくとも１個の無傷のアミドアセタール基を有する第１のポリマー、
（ｉｉ）  ヒドロキシル基または第二アミンと反応する第１の官能基を含む架橋剤であって、但し、該架橋剤は該架橋剤の分子当たり平均で少なくとも２個の第１の官能基を有する架橋剤、
（ｉｉｉ）  場合により、少なくとも１種の溶媒、および
（ｉｖ）  場合により、該ヒドロキシル基または第二アミンと該第１の官能基との反応のための少なくとも１種の触媒、および該アミドアセタール基の加水分解のための少なくとも１種の第２の触媒
ならびに
（ｂ）
（ｉ）  ヒドロキシル基または第二アミンと反応する第２の官能基を有する第２のポリマーであって、但し、該第２のポリマーは該第２のポリマーの分子当たり平均で少なくとも２個の第２の官能基を有する第２のポリマー、
（ｉｉ）  少なくとも１個の無傷のアミドアセタール基を含む化合物、
（ｉｉｉ）  場合により、少なくとも１種の溶媒、および
（ｉｖ）  場合により、該ヒドロキシル基または第二アミンと該第２の官能基との反応のための少なくとも１種の第１の触媒、および該アミドアセタール基の加水分解のための少なくとも１種の第２の触媒
を含んでなる組成物。
【請求項２】
（ａ）
（ｉ）  第１のポリマーの分子に結合された少なくとも１個の無傷のアミドアセタール基を有する第１のポリマー、
（ｉｉ）  ヒドロキシル基または第二アミンと反応する第１の官能基を含む架橋剤であって、但し、該架橋剤が該架橋剤の分子当たり平均で少なくとも２個の第１の官能基を有する架橋剤、
（ｉｉｉ）  水、および
（ｉｖ）  場合により、少なくとも１種もしくはそれ以上の溶媒、
（ｖ）  場合により、該ヒドロキシル基または第二アミンと該第１の官能基との反応のための少なくとも１種の第１の触媒、および場合により、該アミドアセタール基の加水分解のための少なくとも１種の第２の触媒
ならびに
（ｂ）
（ｉ）  ヒドロキシル基または第二アミンと反応する第２の官能基を有する第２のポリマーであって、但し、該第２のポリマーは該第２のポリマーの分子当たり平均で少なくとも２個の第２の官能基を有する第２のポリマー、
（ｉｉ）  少なくとも１個の無傷のアミドアセタール基を含む化合物、
（ｉｉｉ）  水、および
（ｉｖ）  場合により、少なくとも１種もしくはそれ以上の溶媒、
（ｖ）  場合により、該ヒドロキシル基または第二アミンと該第１の官能基との反応のための少なくとも１種の第１の触媒、および場合により、該アミドアセタール基の加水分解のための少なくとも１種の第２の触媒
を含んでなる組成物。
【請求項３】
非架橋形態のポリマー組成物を水にさらして、該ポリマー組成物を架橋させることを含んでなる該ポリマー組成物の架橋方法であって、但し、該ポリマー組成物が、
（ａ）
（ｉ）  第１のポリマーに結合された少なくとも１個の無傷のアミドアセタール基を有する第１のポリマー、
（ｉｉ）  ヒドロキシル基または第二アミンと反応する第１の官能基を含む架橋剤であって、但し、該架橋剤は該架橋剤の分子当たり平均で少なくとも２個の第１の官能基を有する架橋剤、
（ｉｉｉ）  場合により、少なくとも１種の溶媒、および
（ｉｖ）  場合により、該ヒドロキシル基または第二アミンと該第１の官能基との反応のための少なくとも１種の触媒、および該アミドアセタール基の加水分解のための少なくとも１種の第２の触媒
ならびに
（ｂ）
（ｉ）  ヒドロキシル基または第二アミンと反応する第２の官能基を有する第２のポリマーであって、但し、該第２のポリマーは該第２のポリマーの分子当たり平均で少なくとも２個の第２の官能基を有する第２のポリマー、
（ｉｉ）  少なくとも１個の無傷のアミドアセタール基を含む化合物、
（ｉｉｉ）  場合により、少なくとも１種の溶媒、および
（ｉｖ）  該ヒドロキシル基または第二アミンと該第２の官能基との反応のための少なくとも１種の第１の触媒、および該アミドアセタール基の加水分解のための少なくとも１種の第２の触媒
を含んでなる方法。
【請求項４】
（Ａ）  ポリマーコーティング組成物を非架橋形態で基材に適用し、
（Ｂ）  非架橋形態の該ポリマーコーティング組成物を水にさらし、そして
（Ｃ）  非架橋形態の該ポリマーコーティング組成物を架橋させる
ことを含んでなる架橋されたコーティングの形成方法であって、但し、該ポリマー組成物が、
（ａ）
（ｉ）  第１のポリマーに結合された少なくとも１個の無傷のアミドアセタール基を有する第１のポリマー、
（ｉｉ）  ヒドロキシル基または第二アミンと反応する第１の官能基を含む架橋剤であって、但し、該架橋剤が該架橋剤の分子当たり平均で少なくとも２個の第１の官能基を有する架橋剤、および
（ｉｉｉ）  場合により、少なくとも１種もしくはそれ以上の溶媒、
（ｉｖ）  場合により、該ヒドロキシル基または第二アミンと該第１の官能基との反応のための少なくとも１種の第１の触媒、および場合により、該アミドアセタール基の加水分解のための少なくとも１種の第２の触媒
ならびに
（ｂ）
（ｉ）  ヒドロキシル基または第二アミンと反応する第２の官能基を有する第２のポリマーであって、但し、該第２のポリマーは該第２のポリマーの分子当たり平均で少なくとも２個の第２の官能基を有する第２のポリマー、
（ｉｉ）  少なくとも１個の無傷のアミドアセタール基を含む化合物、および
（ｉｉｉ）  場合により、少なくとも１種もしくはそれ以上の溶媒、
（ｉｖ）  場合により、該ヒドロキシル基または第二アミンと該第１の官能基との反応のための少なくとも１種の第１の触媒、および場合により、該アミドアセタール基の加水分解のための少なくとも１種の第２の触媒
を含んでなる方法。
【手続補正２】
【補正対象書類名】明細書
【補正対象項目名】０１０８
【補正方法】変更
【補正の内容】
【０１０８】
実施例８
ガラス容器内で、実験１の実施例８で製造された１３．２９ｇの１−アザ−（５−シクロオクタン）−４，６−ジオキサビシクロ［３，３，０］オクタンを２．７０ｇのプロピレングリコールモノメチルエーテルアセテート、酢酸エチル中の５．６９ｇの２％ジブチル錫ジラウレート溶液およびキシレン中の１．１６ｇの１０％ＢＹＫ（登録商標）３０６溶液と組み合わせた。これに、４．４１ｇの「デスモジュール（Ｄｅｓｍｏｄｕｒ）」（登録商標）ＢＡ  Ｚ４４７０（バイエル（Ｂａｙｅｒ）から入手できるＩＰＤＩイソシアヌレートトリマー）、２７．７７ｇの「デスモジュール（Ｄｅｓｍｏｄｕｒ）」（登録商標）３３００（バイエル（Ｂａｙｅｒ）から入手できるヘキサメチレンジイソシアネートトリマー）および４．９９ｇのプロピレングリコールモノメチルエーテルアセテートの溶液３７．１７ｇを添加した。この混合物を攪拌した。０．６５ｇの「ナキュア（Ｎａｃｕｒｅ）（登録商標）ＸＰ−２２１（イソプロパノール中のドデシルベンゼンスルホン酸の７０％溶液、米国コネチカット州ノーウォークのキング・インダストリーズ（Ｋｉｎｇ  Ｉｎｄｕｓｔｒｉｅｓ（Ｎｏｒｗａｌｋ，ＣＴ））から入手できる）を添加し、混合物を攪拌した。混合物を引き落として厚さ約２ミル（約５０μｍ）のコーティングをもたらした。これらのコーティングを６０℃で３０分にわたり焼き付けた。２４時間後、コーティングは６８Ｎ／ｍｍ2のミクロ硬度および１．６３の膨潤比を示した。
なお、本発明の特徴および態様を要約すれば以下のとおりである。
１．  （ａ）
（ｉ）  第１のポリマーの分子に結合された少なくとも１個の無傷のアミドアセタール基を有する第１のポリマー、
（ｉｉ）  ヒドロキシル基または第二アミンと反応する第１の官能基を含む架橋剤であって、但し、該架橋剤は該架橋剤の分子当たり平均で少なくとも２個の第１の官能基を有する架橋剤、
（ｉｉｉ）  場合により、少なくとも１種の溶媒、および
（ｉｖ）  場合により、該ヒドロキシル基または第二アミンと該第１の官能基との反応のための少なくとも１種の触媒、および該アミドアセタール基の加水分解のための少なくとも１種の第２の触媒
ならびに
（ｂ）
（ｉ）  ヒドロキシル基または第二アミンと反応する第２の官能基を有する第２のポリマーであって、但し、該第２のポリマーは該第２のポリマーの分子当たり平均で少なくとも２個の第２の官能基を有する第２のポリマー、
（ｉｉ）  少なくとも１個の無傷のアミドアセタール基を含む化合物、
（ｉｉｉ）  場合により、少なくとも１種の溶媒、および
（ｉｖ）  場合により、該ヒドロキシル基または第二アミンと該第２の官能基との反応のための少なくとも１種の第１の触媒、および該アミドアセタール基の加水分解のための少なくとも１種の第２の触媒
を含んでなる組成物。
２．  （ａ）
（ｉ）  第１のポリマーの分子に結合された少なくとも１個の無傷のアミドアセタール基を有する第１のポリマー、
（ｉｉ）  ヒドロキシル基または第二アミンと反応する第１の官能基を含む架橋剤であって、但し、該架橋剤が該架橋剤の分子当たり平均で少なくとも２個の第１の官能基を有する架橋剤、
（ｉｉｉ）  水、および
（ｉｖ）  場合により、少なくとも１種もしくはそれ以上の溶媒、
（ｖ）  場合により、該ヒドロキシル基または第二アミンと該第１の官能基との反応のための少なくとも１種の第１の触媒、および場合により、該アミドアセタール基の加水分解のための少なくとも１種の第２の触媒
ならびに
（ｂ）
（ｉ）  ヒドロキシル基または第二アミンと反応する第２の官能基を有する第２のポリマーであって、但し、該第２のポリマーは該第２のポリマーの分子当たり平均で少なくとも２個の第２の官能基を有する第２のポリマー、
（ｉｉ）  少なくとも１個の無傷のアミドアセタール基を含む化合物、
（ｉｉｉ）  水、および
（ｉｖ）  場合により、少なくとも１種もしくはそれ以上の溶媒、
（ｖ）  場合により、該ヒドロキシル基または第二アミンと該第１の官能基との反応のための少なくとも１種の第１の触媒、および場合により、該アミドアセタール基の加水分解のための少なくとも１種の第２の触媒
を含んでなる組成物。
３．  非架橋形態のポリマー組成物を水にさらして、該ポリマー組成物を架橋させることを含んでなる該ポリマー組成物の架橋方法であって、但し、該ポリマー組成物が、
（ａ）
（ｉ）  第１のポリマーに結合された少なくとも１個の無傷のアミドアセタール基を有する第１のポリマー、
（ｉｉ）  ヒドロキシル基または第二アミンと反応する第１の官能基を含む架橋剤であって、但し、該架橋剤は該架橋剤の分子当たり平均で少なくとも２個の第１の官能基を有する架橋剤、
（ｉｉｉ）  場合により、少なくとも１種の溶媒、および
（ｉｖ）  場合により、該ヒドロキシル基または第二アミンと該第１の官能基との反応のための少なくとも１種の触媒、および該アミドアセタール基の加水分解のための少なくとも１種の第２の触媒
ならびに
（ｂ）
（ｉ）  ヒドロキシル基または第二アミンと反応する第２の官能基を有する第２のポリマーであって、但し、該第２のポリマーは該第２のポリマーの分子当たり平均で少なくとも２個の第２の官能基を有する第２のポリマー、
（ｉｉ）  少なくとも１個の無傷のアミドアセタール基を含む化合物、
（ｉｉｉ）  場合により、少なくとも１種の溶媒、および
（ｉｖ）  該ヒドロキシル基または第二アミンと該第２の官能基との反応のための少なくとも１種の第１の触媒、および該アミドアセタール基の加水分解のための少なくとも１種の第２の触媒
を含んでなる方法。
４．  （Ａ）  ポリマーコーティング組成物を非架橋形態で基材に適用し、
（Ｂ）  非架橋形態の該ポリマーコーティング組成物を水にさらし、そして
（Ｃ）  非架橋形態の該ポリマーコーティング組成物を架橋させる
ことを含んでなる架橋されたコーティングの形成方法であって、但し、該ポリマー組成物が、
（ａ）
（ｉ）  第１のポリマーに結合された少なくとも１個の無傷のアミドアセタール基を有する第１のポリマー、
（ｉｉ）  ヒドロキシル基または第二アミンと反応する第１の官能基を含む架橋剤であって、但し、該架橋剤が該架橋剤の分子当たり平均で少なくとも２個の第１の官能基を有する架橋剤、および
（ｉｉｉ）  場合により、少なくとも１種もしくはそれ以上の溶媒、
（ｉｖ）  場合により、該ヒドロキシル基または第二アミンと該第１の官能基との反応のための少なくとも１種の第１の触媒、および場合により、該アミドアセタール基の加水分解のための少なくとも１種の第２の触媒
ならびに
（ｂ）
（ｉ）  ヒドロキシル基または第二アミンと反応する第２の官能基を有する第２のポリマーであって、但し、該第２のポリマーは該第２のポリマーの分子当たり平均で少なくとも２個の第２の官能基を有する第２のポリマー、
（ｉｉ）  少なくとも１個の無傷のアミドアセタール基を含む化合物、および
（ｉｉｉ）  場合により、少なくとも１種もしくはそれ以上の溶媒、
（ｉｖ）  場合により、該ヒドロキシル基または第二アミンと該第１の官能基との反応のための少なくとも１種の第１の触媒、および場合により、該アミドアセタール基の加水分解のための少なくとも１種の第２の触媒
を含んでなる方法。
５．  水と反応して架橋されたポリマー材料を形成する上記１に記載の組成物。
６．  水と反応して架橋されたポリマー材料を形成する上記２に記載の組成物。
７．  コーティング組成物である上記１に記載の組成物。
８．  コーティング組成物である上記２に記載の組成物。
９．  ヒドロキシル基または第二アミンと反応し得る官能基がイソシアネートである上記７または８に記載のコーティング組成物。
１０．  組成物が、顔料、安定剤、レオロジー調整剤、流動剤、強化剤、充填剤およびそれらの組み合わせよりなる群から選択される添加剤を更に含んでなる上記７または８に記載の組成物。
１１．  添加剤が顔料である上記１０に記載の組成物。
１２．  組成物が、官能化オリゴマー、ポリアスパラギン酸エステル、非環式オリゴマーの結合剤、アクリルポリマーの結合剤、ポリエステル、分散アクリル成分の結合剤およびそれらの組み合わせよりなる群から選択される材料を更に含んでなる上記７または８に記載の組成物。
１３．  上記７または８に記載のコーティング組成物で被覆された基材。
１４．  架橋される上記３に記載の方法の生成物。
１５．  架橋される上記４に記載の方法の生成物。
１６．  コーティングである上記３に記載の生成物。
１７．  第２のポリマーの数平均分子量が約３０００未満である上記７または８に記載のコーティング組成物。
１８．  第２のポリマーがイソシアネート官能基を有する上記１７に記載のコーティング組成物。